(57)【要約】【課題】意匠性に優れた遊技盤を備えた遊技機を提供する。【解決手段】遊技領域を前側に有する遊技盤１７を備える遊技機において、遊技盤１７の前側から取り付けられる前部材４２と、遊技盤１７の後側から取り付けられる後部材４３と、前部材４２及び後部材４３を遊技盤１７に固定する締結手段６８，係止手段６５と、前部材４２を遊技盤１７の前側から固定するために締結手段６８のネジ６８ａが挿入される、遊技盤１７の下孔１７ｃと、後部材４３を遊技盤１７の後側から固定するために係止手段６５が挿入される、遊技盤１７の後孔１７ａとを備え、後孔１７ａは前部材４２の後側に位置している構成とする。【選択図】図５
2014076095.tif 000002
【特許請求の範囲】
【請求項１】
遊技領域を前側に有する遊技盤を備える遊技機において、前記遊技盤の前側から取り付けられる表遊技部品と、前記遊技盤の後側から取り付けられる裏遊技部品と、前記表遊技部品及び前記裏遊技部品を前記遊技盤に固定する各固定手段と、前記表遊技部品を前記遊技盤の前側から固定するために前記固定手段が挿入される、前記遊技盤の表孔部と、前記裏遊技部品を前記遊技盤の後側から固定するために前記固定手段が挿入される、前記遊技盤の裏孔部と、を備え、前記裏孔部は、前記表遊技部品の後側に位置していることを特徴とする遊技機。
【請求項２】
前記表孔部は前記遊技盤の前後方向に貫通する貫通孔であることを特徴とする請求項１に記載の遊技機。
【請求項３】
前記表遊技部品又は前記裏遊技部品を位置決めする位置決め部を、前記表遊技部品の場合には前記表孔部の近傍箇所に、前記裏遊技部品の場合には前記裏孔部の近傍箇所に設けることを特徴とする請求項２に記載の遊技機。
【請求項４】
前記裏遊技部品は、前記表遊技部品の後側に位置し且つその全体が当該遊技盤の前面視で当該表遊技部品内に位置していることを特徴とする請求項１〜３の何れかに記載の遊技機。
【請求項５】
前記裏遊技部品は、前記遊技盤の前後方向に貫通形成された開口に当該遊技盤の正面視で位置する第１遊技部品と、この第１遊技部品の後側に位置する第２遊技部品と、前記第１遊技部品の前側から挿入されて前記第１遊技部品と第２遊技部品とを固定する固定手段と、を備え、前記第１遊技部品は、前記表遊技部品の後側に位置していることを特徴とする請求項１〜４の何れかに記載の遊技機。
【請求項６】
前記表遊技部品は、遊技球が入賞可能な入賞口を備え、前記裏遊技部品は、前記入賞口からの遊技球を案内するように前方に突出形成された球通路部を備え、前記裏孔部は、前記球通路部が挿入可能な形状であり、前記裏遊技部品の前記固定手段は、前記球通路部を前記裏孔部に挿入することで、当該球通路部に形成された固定部が当該裏孔部に固定されるものであることを特徴とする請求項１〜５の何れかに記載の遊技機。
【請求項７】
前記表遊技部品の前記固定手段は、当該表遊技部品の後面箇所に突出形成されており、前記表孔部は、前記固定手段が挿入されて固定可能な形状であることを特徴とする請求項１〜６の何れかに記載の遊技機。
【発明の詳細な説明】
【技術分野】
【０００１】
本発明は、パチンコ機、アレンジボール機等の遊技機に関するものである。
【背景技術】
【０００２】
パチンコ機では、透明遊技盤の前面の遊技領域の略中央に、特別図柄表示手段等を構成する画像表示手段が配置されると共に、この画像表示手段の下側に、開閉型の特別図柄始動手段と大入賞手段とが配置され、遊技領域の左下側箇所に左側普通入賞装置が配置されたものがある。
【０００３】
この左側普通入賞装置は、複数の普通入賞口を有し且つ透明遊技盤の前側にネジ止めされる飾り部材（前側遊技部品）と、この飾り部材の普通入賞口に入賞した遊技球を後方へ案内する球通路を有し且つ透明遊技盤の後側で当該飾り部材と対向する箇所に設置される通路構成部材（後側遊技部品）と、を備えている（特許文献１）。
【先行技術文献】
【特許文献】
【０００４】
【特許文献１】特開２０１２−１１００９号公報
【発明の概要】
【発明が解決しようとする課題】
【０００５】
前述した従来のパチンコ機では、透明遊技盤の前面に左側普通入賞装置の飾り部材がネジ止めされ、この透明遊技盤の後側に左側普通入賞装置の通路構成部材が設置されており、透明遊技盤の正面視で通路構成部材における飾り部材で隠れない箇所に位置する固定手段（ネジ止め部又はビス止め部）が、当該透明遊技盤を介して見えており、これにより透明遊技盤の美観が損なわれるという問題がある。
【０００６】
例えば、通路構成部材を透明遊技盤の背面にネジ止めする場合には、当該透明遊技盤を介してネジ先端側が見えることなり、透明遊技盤の美観が大きく損なわれることになる。
【０００７】
本発明は、上記事情に鑑みてなされたものであり、意匠性に優れた遊技盤を備えた遊技機を提供することを目的とする。
【課題を解決するための手段】
【０００８】
本発明は、遊技領域１９を前側に有する遊技盤１７を備える遊技機において、前記遊技盤１７の前側から取り付けられる表遊技部品４２と、前記遊技盤１７の後側から取り付けられる裏遊技部品４３と、前記表遊技部品４２及び前記裏遊技部品４３を前記遊技盤１７に固定する各固定手段６５，６８，１０８と、前記表遊技部品４２を前記遊技盤１７の前側から固定するために前記固定手段６８が挿入される、前記遊技盤１７の表孔部１７ｃ，１７ｄと、前記裏遊技部品４３を前記遊技盤１７の後側から固定するために前記固定手段６５，１０８が挿入される、前記遊技盤１７の裏孔部１７ａ，１７ｆ，４９ｂと、を備え、前記裏孔部１７ａ，１７ｆ，４９ｂは、前記表遊技部品４２の後側に位置していることを特徴とするものである。
【０００９】
なお、固定手段６５，６８，１０８としては、締結部材（例えばネジ６８ａ，７７ｅ）などの締結手段６８，１０８、係止部材（例えば係止ピン４０、係止爪４０ｃ，４９ａ）などの係止手段、嵌合部材（例えば嵌合ピン）などの嵌合手段、圧入部材（例えば圧入ピン）などの圧入手段、結合部材（例えば結合ピン）などの結合手段、又は、かしめ部材（かしめピンなど）のかしめ手段など各種のものが挙げられる。
【００１０】
また、遊技盤１７としては、透明な合成樹脂などで成形される透明樹脂製の遊技盤（透明遊技盤）や、合板（ベニヤ板）により形成される木製の遊技盤であって表遊技部品４２及び裏遊技部品４３が配設される箇所に透明部（例えば透明合成樹脂成形品）が配設された一部透明の遊技盤などが挙げられる。
【００１１】
また、前記表孔部１７ｃ，１７ｄは前記遊技盤１７の前後方向に貫通する貫通孔であるとしてもよい。また、前記表遊技部品４２又は前記裏遊技部品４３を位置決めする位置決め部９２ｂ，９３ｂを、前記表遊技部品４２の場合には前記表孔部１７ｃ，１７ｄの近傍箇所に、前記裏遊技部品４３の場合には前記裏孔部１７ａ，１７ｆ，４９ｂの近傍箇所に設けるとしてもよい。
【００１２】
また、前記裏遊技部品４３は、前記表遊技部品４２の後側に位置し且つその全体が当該遊技盤１７の前面視で当該表遊技部品４２内に位置しているとしてもよい。また、前記裏遊技部品４３は、前記遊技盤１７の前後方向に貫通形成された開口４５に当該遊技盤１７の正面視で位置する第１遊技部品７１ａと、この第１遊技部品７１ａの後側に位置する第２遊技部品６９と、前記第１遊技部品７１ａの前側から挿入されて前記第１遊技部品７１ａと第２遊技部品６９とを固定する固定手段７１ｂと、を備え、前記第１遊技部品７１ａは、前記表遊技部品４２の後側に位置しているとしてもよい。
【００１３】
また、前記表遊技部品４２は、遊技球が入賞可能な入賞口２９を備え、前記裏遊技部品４３は、前記入賞口２９からの遊技球を案内するように前方に突出形成された球通路部４９を備え、前記裏孔部４９ｂは、前記球通路部４９が挿入可能な形状であり、前記裏遊技部品４３の前記固定手段６５は、前記球通路部４９を前記裏孔部４９ｂに挿入することで、当該球通路部４９に形成された固定部４９ａが当該裏孔部４９ｂに固定されるものであるとしてもよい。
【００１４】
前記表遊技部品４２の前記固定手段４４ｆは、当該表遊技部品４２の後面箇所に突出形成されており、前記表孔部１７ｄは、前記固定手段４４ｆが挿入されて固定可能な形状であるとしてもよい。なお、表遊技部品４２の固定手段４４ｆとしては、表遊技部品４２の後面箇所に形成された係止手段、嵌合手段、圧入手段などが挙げられ、遊技盤１７の表孔部１７ｄは、係止手段、嵌合手段、圧入手段などが挿入されて係止、嵌合、圧入可能な形状などが挙げられる。
【発明の効果】
【００１５】
本発明によれば、意匠性に優れた遊技盤を構成できる利点がある。
【図面の簡単な説明】
【００１６】
【図１】本発明の第１の実施形態を例示するパチンコ機の正面図である。
【図２】同遊技盤の複合入賞手段部分の一部正面図である。
【図３】同複合入賞手段の斜視図である。
【図４】同複合入賞手段の正面断面図である。
【図５】同複合入賞手段と遊技盤との関係を示す斜視図である。
【図６】同複合入賞手段と遊技盤との関係を示す分解断面図である。
【図７】同遊技盤の複合入賞手段部分の縦断面図である。
【図８】同遊技盤の複合入賞手段部分の横断面図である。
【図９】同遊技盤の複合入賞手段部分の横断面図である。
【図１０】同裏ケース体を外した状態の背面図である。
【図１１】同複合入賞手段の中間の正面断面図である。
【図１２】同複合入賞手段の分解斜視図である。
【図１３】同複合入賞手段の分解斜視図である。
【図１４】同複合入賞手段の前飾り体の斜視図である。
【図１５】同装着過程を示す断面図である。
【図１６】本発明の第２の実施形態を示す複合入賞手段の分解斜視図である。
【図１７】本発明の第３の実施形態を示す複合入賞手段の分解斜視図である。
【図１８】同縦断面図である。
【図１９】本発明の第４の実施形態を示す分解斜視図である。
【図２０】本発明の第５の実施形態を示す分解斜視図である。
【図２１】同複合入賞手段と遊技盤との関係を示す分解断面図である。
【図２２】同複合入賞手段と遊技盤との関係を示す一部破断平面図である。
【図２３】本発明の第６の実施形態を示す複合入賞手段の分解斜視図である。
【図２４】同遊技盤の複合入賞手段部分の横断面図である。
【図２５】同遊技盤の複合入賞手段部分の縦断面図である。
【図２６】本発明の第７の実施形態を示す複合入賞手段の分解斜視図である。
【図２７】本発明の第８の実施形態を示す複合入賞手段と遊技盤との分解斜視図である。
【図２８】同遊技盤の複合入賞手段部分の横断面図である。
【図２９】同遊技盤の複合入賞手段部分の縦断面図である。
【図３０】本発明の第９の実施形態を示すパチンコ機の正面図である。
【図３１】同複合入賞手段の分解斜視図である。
【図３２】本発明の第１０の実施形態を示すパチンコ機の正面図である。
【図３３】同複合入賞手段の斜視図である。
【図３４】同遊技盤の複合入賞手段部分の縦断面図である。
【図３５】同複合入賞手段の分解図である。
【図３６】本発明の第１１の実施形態を示す複合入賞手段の分解斜視図である。
【図３７】同複合入賞手段の横断面図である。
【図３８】本発明の第１２の実施形態を示す複合入賞手段の分解斜視図である。
【図３９】同複合入賞手段の横断面図である。
【発明を実施するための形態】
【００１７】
以下、本発明の各実施形態を図面に基づいて詳述する。図１〜図１５は本発明をパチンコ機に採用した第１の実施形態を例示する。パチンコ機１は、図１に示すように、矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジ７により縦軸廻りに開閉自在に枢支されている。
【００１８】
前面板６の前側には、発射用の遊技球を貯留する球供給皿８と、余剰球を貯留する球受け皿９とが上下に配置され、その側方に遊技球を発射する発射手段（図示省略）の発射ハンドル１０が設けられている。球供給皿８、球受け皿９は前面板６に装着され、前側から上部皿カバー１２、下部皿カバー１３により覆われている。
【００１９】
上部皿カバー１２の前中央部には、前斜め上向きに操作ボタン兼用の回転発光演出手段１４が配置され、その左側にチャンスボタン１５が配置されている。回転発光演出手段１４は回転発光部（図示省略）を覆う発光カバー１４ａを有し、その発光カバー１４ａが押圧操作部となっている。前枠４にはガラス扉５の裏側に対応するように遊技盤１７が着脱自在に装着されている。この遊技盤１７は、透明な合成樹脂などで成形される透明樹脂製の遊技盤である。
【００２０】
遊技盤１７の前面には、発射手段から発射された遊技球を案内するガイドレール１８が略円弧状に配置されると共に、そのガイドレール１８の内側の遊技領域１９に画像表示手段２０、普通図柄始動手段２１、複合入賞手段２２、普通入賞手段２３、普通図柄表示手段２５、特別図柄表示手段２６等の各種の遊技部品が配置され、最下部にアウト球を裏側へと案内するアウト口（案内部）２７が設けられている。なお、ガイドレール１８は外レール１８ａと内レール１８ｂとを備え、その内レール１８ｂに沿って遊技領域１９の下側に、アウト球をアウト口２７へと案内するアウト球レール２８が設けられている。
【００２１】
画像表示手段２０は遊技領域１９の左右方向の略中央の上部に配置され、この画像表示手段２０の下側に複合入賞手段２２が配置されている。普通図柄始動手段２１は画像表示手段２０とガイドレール１８との間に配置されている。普通入賞手段２３は１又は複数の入賞口を一組として備え、複合入賞手段２２の左右両側に設けられている。
【００２２】
複合入賞手段２２は、図２〜図４に示すように、入賞口２９，３０を有する特別図柄始動手段（上入賞手段）３１と、入賞口３２を有する可変入賞手段（開閉型入賞手段、下入賞手段）３３とを上下に隣接して配置し複合化したものである。特別図柄始動手段３１は上下に隣接して配置された非開閉型入賞手段６１と開閉型入賞手段６２とを有する。非開閉型入賞手段６１は遊技盤１７の前面で上向きに開口する非開閉型の第１入賞口（非開閉型入賞口）２９を有し、開閉型入賞手段６２は遊技盤１７の前面で前向きに開口する開閉型の第２入賞口（開閉型入賞口）３０を有する。また可変入賞手段３３は遊技盤１７の前面で前向きに開口する横長矩形状の第３入賞口（開閉型入賞口）３２を有する。
【００２３】
画像表示手段２０は液晶式等の画像表示部３４と、画像表示部３４に対応する表示窓３５ａを有し且つ遊技盤１７の前面に装着された飾り枠３５とを備えている。飾り枠３５の上部側の前面に普通図柄表示手段２５と特別図柄表示手段２６とが装着されている。
【００２４】
普通図柄表示手段２５は普通図柄を変動表示するためのもので、複数種類の普通図柄（例えば２種類の「○」「×」）に対応する複数の発光素子により構成されており、普通図柄始動手段２１が遊技球を検出することを条件に２個の発光素子が交互に点灯するように所定時間点滅して、普通図柄始動手段２１の遊技球の検出時に抽選した乱数値が予め定められた当たり判定値と一致した場合に当たり態様の  「○」側の発光素子が点灯し、それ以外の場合に外れ態様の「×」側の発光素子が点灯して停止する。なお、変動後の普通図柄は１／１０程度の所定の確率で当たり態様となる。
【００２５】
特別図柄表示手段２６は発光部位の変化等で特別図柄を変動表示可能なセグメント式等により構成されており、特別図柄始動手段３１が遊技球を検出することを条件に、特別図柄が所定時間変動して、特別図柄始動手段３１の遊技球の検出時に抽選された乱数値が予め定められた大当たり判定値と一致した場合に所定の大当たり態様で、それ以外の場合に外れ態様で停止するようになっている。
【００２６】
特別図柄始動手段３１は、図２〜図５に示すように、第２入賞口３０の入賞領域を変化させるための開閉部材である左右一対の開閉翼（上開閉部材）３６をその左右両側に有し、普通図柄表示手段２５の変動後の停止図柄が当たり態様となったときに、開閉翼３６が所定時間（短時間）だけ開放するようになっている。
【００２７】
可変入賞手段３３は、図２〜図５に示すように、第３入賞口３２の入賞領域を変化させるための開閉部材である開閉扉（上開閉部材）３７を有し、特別図柄表示手段２６の変動後の特別図柄が大当たり態様となって特別遊技状態が発生したときに開閉扉３７が前側に開放して、上方から落下する遊技球を開閉扉３７を経て第３入賞口３２へと入賞させるようになっている。
【００２８】
なお、特別遊技状態中は開閉扉３７の開放から所定時間（例えば３０秒程度）が経過するか、その間に所定数（例えば１０個）の遊技球が入賞したときに開閉扉３７を閉じる動作を１ラウンドとし、この動作を所定回数（例えば１６ラウンド）継続するようになっている。
【００２９】
画像表示部３４は特別図柄表示手段２６の特別図柄に対応する演出図柄３８ａ〜３８ｃの変動表示、回転発光演出手段１４の操作指示画像３９を表示する操作指示等、遊技の進行に従って適宜タイミングで各種の演出画像を随時表示するものである。即ち、特別図柄表示手段２６の特別図柄の変動に際して、その特別図柄の変動に同期して１個又は複数、例えば３個の演出図柄３８ａ〜３８ｃが画像表示部３４に変動表示される。このとき演出図柄３８ａ〜３８ｃは特別図柄始動手段３１の遊技球の検出を条件に、抽選により決定された所定の演出図柄変動パターンを経て所定時間変動した後、特別図柄の変動終了に同期して所定の順序（例えば左、右、中等の順序）で順次停止する。
【００３０】
演出図柄３８ａ〜３８ｃの変動後の停止図柄は、特別図柄が大当たり態様で停止する場合には全てが揃う大当たり演出態様となり、特別図柄が外れ態様で停止する場合には少なくとも一部が異なる外れ演出態様となる。例えば、演出図柄３８ａ〜３８ｃには０〜９までの数字図柄が使用されており、特別図柄が大当たり態様で停止する場合に演出図柄３８ａ〜３８ｃは「７・７・７」等の大当たり演出態様で停止し、特別図柄が外れ態様で停止する場合に演出図柄３８ａ〜３８ｃは「２・４・５」等の外れ演出態様で停止する。
【００３１】
回転発光演出手段１４の操作指示に際しては、変動後の特別図柄が大当たり態様となる信頼度の高い演出図柄変動パターンを抽選したとき等、遊技者に対して期待感を抱かせる所定の遊技状態、例えば１個の演出図柄３８ｂを除く２個の演出図柄３８ａ，３８ｃが同じとなるリーチとなった場合に、画像表示部３４の所定箇所に回転発光演出手段１４の操作を指示する操作指示画像３９が表示される。
【００３２】
そして、例えば特別図柄始動手段３１が遊技球を検出したときに大当たりを抽選しており、変動後の特別図柄が大当たり態様となった後に特別遊技状態が発生する場合には、その操作指示画像３９に従って図柄変動中に適宜タイミングで回転発光演出手段１４の発光カバー１４ａを押圧操作すれば、発光カバー１４ａ内の発光部が回転しながら明滅発光する回転発光状態となって、その後の大当たり態様での特別図柄の停止、及びこれに続く特別遊技状態の発生を予告する。
【００３３】
なお、回転発光演出手段１４は遊技者が操作するか否かに関係なく回転発光させてもよい。また回転発光演出手段１４の回転発光中は、画像表示部３４に回転発光演出手段１４の回転発光を示す演出画像を表示してもよい。
【００３４】
複合入賞手段２２は特別図柄始動手段３１と可変入賞手段３３とを複合化したものであって、図２〜図１４に示すように構成されている。即ち、この複合入賞手段２２は、図２〜図６に示すように、遊技盤１７の前面に当接する前部材４２と、遊技盤１７の装着孔４５を介して前部材４２と前後に相対応して遊技盤１７の裏側に配置された後部材４３とを備えている。前部材４２は遊技盤１７に前側から装着される前飾り体４４を備えている。後部材４３は装着孔４５よりも外周に拡がる裏ケース４６を備え、この裏ケース４６内に特別図柄始動手段３１及び可変入賞手段３３の後部機構４７が収容され、また前飾り体４４と裏ケース４６との間には、特別図柄始動手段３１及び可変入賞手段３３の中間機構４８が遊技盤１７の装着孔４５内に位置可能に後部材４３の前側に設けられている。
【００３５】
特別図柄始動手段３１の非開閉型入賞手段６１、開閉型入賞手段６２は、図２〜図１４に示すように、第１・第２入賞口２９，３０、開閉翼３６の他に、第１・第２入賞口２９，３０からの遊技球を後方へと案内する第１・第２案内通路４９，５０（図７参照）と、第１・第２案内通路４９，５０からの遊技球を遊技盤１７の裏側で下側へと案内する第１・第２球経路５１，５２と、第１・第２球経路５１，５２からの遊技球を下方へと落下させる第１落下口５３と、開閉翼３６を開閉駆動する第１駆動手段５４と、第１・第２入賞口２９，３０に入賞した遊技球を検出する第１・第２検出スイッチ５５，５６と、を備えている。
【００３６】
なお、非開閉型入賞手段６１は第１入賞口２９、第１案内通路４９、第１球経路５１、第１落下口５３、第１検出スイッチ５５等により構成され、開閉型入賞手段６２は第２入賞口３０、開閉翼３６、第２案内通路５０、第２球経路５２、第１落下口５３、第１駆動手段５４、第２検出スイッチ５６等により構成されている。
【００３７】
また後部機構４７は第１・第２球経路５１，５２、第１・第２検出スイッチ５５，５６、第１・第２駆動手段５４，５９等により構成され、中間機構４８は第１・第２案内通路４９，５０、第３球経路５７、第３検出スイッチ６０等により構成されている。
【００３８】
複合入賞手段２２は、図２〜図６に示すように、第２・第３入賞口３０，３２が設けられた口枠体６３と、遊技盤１７の裏側にその裏面に沿って配置された裏ケース４６と、第１入賞口２９を有し且つ第２・第３入賞口３０，３２の周辺を飾る前飾り体４４とを備えている。口枠体６３には第２入賞口３０の開閉翼３６と第３入賞口３２の開閉扉３７とが設けられている。
【００３９】
裏ケース４６の内部には、図７〜図１３に示すように、第１・第２球経路５１，５２、第１・第２駆動手段５４，５９、第１・第２検出スイッチ５５，５６が収容され、また裏ケース４６の前面に第３球経路５７、第３検出スイッチ６０が設けられている。口枠体６３及び裏ケース４６は前後に着脱自在に結合されており、複数種類のパチンコ機に共通な汎用部品である裏側ユニット６４を構成している。
【００４０】
裏側ユニット６４は、図２〜図１３に示すように、第２・第３入賞口３０，３２、第１・第２案内通路４９，５０、開閉翼３６、開閉扉３７、第１・第２駆動手段５４，５９、第１〜第３球経路５１，５２，５７、第１〜第３検出スイッチ５５，５６，６０を含み、その第１・第２球経路５１，５２、第１・第２検出スイッチ５５，５６、第１・第２駆動手段５４，５９が裏ケース４６内に収容され、また口枠体６３、第１・第２案内通路４９，５０、第３球経路５７が裏ケース４６の前面から前側に突出し且つ遊技盤１７の装着孔４５に裏側から挿入されている。
【００４１】
前飾り体４４はパチンコ機１の機種毎の専用部品を構成するもので、この前飾り体４４は、図２、図５、図１４に示すように、遊技盤１７の前面に当接され、前側から締結手段６８、例えばネジ６８ａにより遊技盤１７に装着されている。また、図５〜図９に示すように、前飾り体４４の裏側に裏側ユニット６４が位置するように、この裏側ユニット６４が係止手段６５により遊技盤１７の裏側から当該遊技盤１７に着脱自在に係止固定されている。なお、裏ケース４６は、図７〜図９に示すように、その前面が遊技盤１７の裏面に当接している（又は近接としてもよい）。
【００４２】
前飾り体４４は、図２、図５に示すように、特別図柄始動手段３１の第１・第２入賞口２９，３０の周辺を飾る板状の第１前飾り部６６と、可変入賞手段３３の第３入賞口３２の周辺を飾る板状の第２前飾り部６７とを上下に一体に備え、その第１前飾り部６６に特別図柄始動手段３１用の第１開口部６６ａが、第２前飾り部６７に可変入賞手段３３用の第２開口部６７ａが互いに上下に連通して形成されている。前飾り体４４の上端部には第１入賞口２９と第１案内通路４９とが第１前飾り部６６の前後に突出して一体に形成されている。前飾り体４４は、第１・第２前飾り部６６，６７の外周部分の複数箇所の取り付け孔４４ａにネジ６８ａを挿入しこのネジ６８ａを遊技盤１７の下孔１７ｃに螺入することにより前側から遊技盤１７に着脱自在に固定されている。
【００４３】
なお、第１開口部６６ａは特別図柄始動手段３１の開閉型入賞手段６２の第２入賞口３０、開閉翼３６に対応し、第２開口部６７ａは可変入賞手段３３の第３入賞口３２、開閉扉３７に対応している。第１案内通路４９は裏ケース４６の前面に設けてもよい。
【００４４】
口枠体６３は、図２〜図５、図７〜図９、図１２、図１３に示すように、前飾り体４４の第１前飾り部６６の第１開口部６６ａに嵌合して遊技盤１７の前面で第１・第２入賞口２９，３０の後部側外周を飾る上側の第１飾り部６９と、前飾り体４４の第２前飾り部６７の第２開口部６７ａに嵌合して遊技盤１７の前面で第３入賞口３２の外周を飾る下側の第２飾り部７０とを上下に一体に備え、その前面が前飾り体４４の前面と略面一状になっている。
【００４５】
第１飾り部６９には、図１２に示すように、第２入賞口３０用の球受け部７１と、この球受け部７１の裏側に連通する第２案内通路５０とが前後両側に突出して一体に設けられ、その球受け部７１の前面に、球受け部７１の前側を塞ぐ左右方向の前壁部７１ａが左右一対のネジ７１ｂにより着脱自在に固定されている。球受け部７１、第２案内通路５０はＵ字状、その他の樋状に構成されている。
【００４６】
第２入賞口３０の左右両側の開閉翼３６は、前後両端部が第１前飾り部６６と前壁部７１ａとにより回動自在に支持された前後方向の枢軸７２により開閉自在に枢支され、開状態のときに上方からの遊技球を第２入賞口３０へと案内するようになっている。開閉翼３６は、図２及び図４に二点鎖線で示すように、閉状態にしたときに第１前飾り部６６の外周よりも内側に収まる大きさであり、組み立て・分解時には開閉翼３６を閉状態にすることにより、前飾り体４４の第１開口部６６ａを前後に通過可能である。
【００４７】
第２入賞口３０は第３入賞口３２の上側で前飾り体４４の前面に装着された入賞口カバー７３により覆われている。入賞口カバー７３は第２入賞口３０の下側から左右両側、前側を覆う形状になっており、前飾り体４４に裏側から挿通されたネジ７３ａ等の固定具により着脱自在に固定されている。
【００４８】
第２飾り部７０には第３入賞口３２が横長矩形状に形成されると共に、この第３入賞口３２を取り囲む周壁部７４が裏面に一体に形成されている。第３入賞口３２の開閉扉３７はその下部の左右両側に横方向の枢軸７５を有し、その枢軸７５が周壁部７４の側壁下部の軸受部７６により開閉自在に枢支されており、前側に開放したときに第２開口部６７ａから遊技盤１７の前側に突出して、前側、上方からの遊技球を受けて第２入賞口３０へと案内するようになっている。
【００４９】
裏ケース４６は、図３〜図６、図１２、図１３に示すように、前後に偏平な背面視略矩形状の箱型であって、対向側に周壁部７７ａ，７８ａが形成された前ケース体７７と裏ケース体７８とを備え、その両ケース体７７，７８を前後方向に着脱自在に結合して形成されている。両ケース体７７，７８はその周壁部７７ａ，７８ａが前後に当接しており、裏ケース体７８の裏側から複数の結合手段７９（図６，図９参照）により着脱自在に結合されている。結合手段７９は前ケース体７７から後方に突出する取り付けボス等の取り付け部７９ａと、裏ケース体７８の取り付け孔に裏側から挿通されて取り付け部７９ａに螺合するネジ７９ｂとを備えている。
【００５０】
この前ケース体７７と裏ケース体７８は、例えば合成樹脂成形品としている。また、前ケース体７７は、例えばその外面箇所に、遊技盤１７のデザインに対応した表示（例えば、文字、模様若しくは色彩又はこれらを結合した表示）が施されているとしてもよい。この場合には、透明の遊技盤１７を介して前ケース体７７の当該表示が視認でき、遊技盤１７のデザインや画像表示手段２０の表示内容と相まって遊技盤１７の意匠性を向上させることができる。
【００５１】
口枠体６３と裏ケース４６は、図９、図１２、図１３に示すように、裏ケース４６の裏側から複数の結合手段８０により着脱自在に結合されている。結合手段８０は口枠体６３から後方に突出する複数のボス等の取り付け部８０ａと、前ケース体７７の取り付け孔に裏側から挿通されて取り付け部８０ａに螺合するネジ８０ｂとを備えている。
【００５２】
裏ケース４６を遊技盤１７に係止固定する係止手段６５は、図２に示すように、正面視で前飾り体４４の範囲内で且つその外周部分に周方向に分散して複数（本実施形態では３個）設けられている。この係止手段６５は、図８、図１０に示すように、遊技盤１７の前後方向に貫通し且つ前側に座繰り部１７ｂが形成された後孔１７ａと、この後孔１７ａに対応する箇所で且つ前ケース体７７及び裏ケース体７８の前後方向に貫通して当該前ケース体７７側が径の小さい小孔６５ｃとした操作孔６５ｄと、裏ケース体７８の裏側から操作孔６５ｄに挿通され且つ遊技盤１７の後孔１７ａにも挿通された状態でこの後孔１７ａの座繰り部１７ｂに係止する係止ピン４０と、を備えている。この係止ピン４０は、図５、図６及び図８に示すように、円柱状の頭部４０ａと、この頭部４０ａの一端面から突出形成された一対のピン部４０ｂと、このピン部４０ｂの先端側に形成された係止爪４０ｃと、を備えている。
【００５３】
なお、操作孔６５ｄは、係止ピン４０が挿入可能な大きさであり、その前ケース体７７の前面側の小孔６５ｃは、操作孔６５ｄと同一軸心で連通形成された孔であって、係止ピン４０の一対のピン部４０ｂが挿入可能な大きさで且つ当該係止ピン４０の頭部４０ａよりも小さい径としている。
【００５４】
第１・第２球経路５１，５２、第１落下口５３、第１・第２検出スイッチ５５，５６、第１・第２駆動手段５４，５９は、図７〜図１３に示すように裏ケース４６の内部、即ち前ケース体７７の裏側に設けられている。また第３球経路５７、第２落下口５８、第３検出スイッチ６０は、図７、図９〜図１３に示すように裏ケース４６の前側、即ち前ケース体７７の前側で前ケース体７７と口枠体６３との間に設けられている。
【００５５】
前ケース体７７は一種の支持体を構成するものであり、第１・第２球経路５１，５２、第１落下口５３、第１・第２検出スイッチ５５，５６及び第１・第２駆動手段５４，５９は前ケース体７７の裏側となり、第３球経路５７、第１・第２案内通路４９，５０及び第３検出スイッチ６０は前ケース体７７の前側となるように、前ケース体７７の前後両側に振り分けて設けられている。
【００５６】
前ケース体７７には、図７〜図１０、図１２、図１３に示すように、第１・第２案内通路４９，５０に対応して第１・第２入口５１ａ，５２ａが上下に形成され、第１・第２球経路５１，５２はその第１・第２入口５１ａ，５２ａを介して第１・第２案内通路４９，５０に連通している。第２球経路５２は、裏ケース４６内に左右方向の略中央に上下方向に配置され、第２入口５２ａとその下方の第１落下口５３とに跨がって略直線状に設けられている。第２球経路５２は前後の両ケース体７７，７８と、前ケース体７７から後方に突出する左右一対の経路壁５２ｂとの間に形成されている。
【００５７】
第１球経路５１は、裏ケース４６内に第２球経路５２を迂回してその左右一側に配置されており、第１入口５１ａと第１落下口５３とに跨がって背面視略コ字状に構成されている。なお、第１球経路５１は前後の両ケース体７７，７８と、前ケース体７７から後方に突出する内・外経路壁５１ｂ，５１ｃとの間に形成されている。第１落下口５３は両ケース体７７，７８の下側の周壁部７７ａ，７８ａを切り欠いて形成され、第１・第２球経路５１，５２からの遊技球を遊技盤１７の裏側で下方へと落下させるようになっている。
【００５８】
第３球経路５７は、第３入賞口３２に対応して前ケース体７７の前側から一体に突出する上経路壁５７ａと下経路壁５７ｂとの間に横長状に設けられ、第３入賞口３２から入賞した遊技球を下経路壁５７ｂ上に集めて第２落下口５８へと案内するようになっている。下経路壁５７ｂは底壁部を構成しており、開放状態の開閉扉３７の後端部に対応する高さに配置され、両側の遊技球を左右方向の中間の第２落下口５８へと案内するよう傾斜している。上経路壁５７ａは下経路壁５７ｂを上側から覆う下向きコ字状であり、その前端が口枠体６３の周壁部７４の後端に当接している。下経路壁５７ｂは左右両端側に上経路壁５７ａの側壁部５７ｃとの間に所定の間隔をおいて側壁部５７ｄが設けられている。
【００５９】
なお、遊技盤１７の装着孔４５はアウト口２７の上側に連続して形成されており、第３球経路５７の第２落下口５８は遊技盤１７の厚み内でアウト口２７に連通している。アウト口２７は遊技球を遊技盤１７の裏側へと案内すべく傾斜状であり、その前側にはアウト球レール２８に一体の口部２８ａが設けられている。また上経路壁５７ａの側壁部５７ｃには、周壁部７４の切り欠き状の軸受部７６に嵌合して枢軸７５を押える押え部５７ｅが設けられている。裏ケース体７８は下部側に切り欠き部８５を有し、その切り欠き部８５を経て裏ケース４６の裏側から第１〜第３検出スイッチ５５，５６，６０の取り付け状態を目視により確認できるようになっている。
【００６０】
第１〜第３検出スイッチ５５，５６，６０は左右方向に長く上下に偏平な矩形状であって、図７、図１０〜図１３に示すように、遊技球の通過孔５５ａ，５６ａ，６０ａが球経路５１，５２，５７に対応するように、前ケース体７７の裏側から各球経路５１，５２，５７に対応する第１〜第３保持部８１〜８３に着脱自在に装着されている。
【００６１】
特別図柄始動手段３１側の第１・第２検出スイッチ５５，５６の内、第２検出スイッチ５６は第２入口５２ａの下側近傍に配置され、第１検出スイッチ５５は第２検出スイッチ５６の上側に隣接して配置されている。前ケース体７７の裏側には第１球経路５１の内経路壁５１ｂと第２球経路５２の経路壁５２ｂとを左右に連結する連結壁８４が設けられ、この連結壁８４を挟んで各球経路５１，５２に対応する第１・第２保持部８１，８２が設けられている。そして第１・第２検出スイッチ５５，５６は、その前ケース体７７の裏側から第１・第２保持部８１，８２に嵌合され、且つ第１・第２保持部８１，８２の連結壁８４と反対側の係合爪８１ａ，８２ａにより着脱自在に係止されている。
【００６２】
可変入賞手段３３側の第３検出スイッチ６０は、第３球経路５７の下側に近接して配置されている。前ケース体７７には下経路壁５７ｂの下側に、前ケース体７７の裏側に開放する第３保持部８３が設けられ、この第３保持部８３に前ケース体７７の裏側から第３検出スイッチ６０が嵌合され係合爪８３ａにより着脱自在に係止されている。
【００６３】
第１・第２駆動手段５４，５９は、図８〜図１０、図１３に示すように、下向きに突出するプランジャー８６ａ，８７ａを備えた第１・第２ソレノイド８６，８７により構成されており、その第１・第２ソレノイド８６，８７は左右方向の略中央の第２球経路５２に対して第１球経路５１とは反対側に配置されている。第１・第２ソレノイド８６，８７は前ケース体７７の裏面の位置決め部８６ｂ，８７ｂにより位置決めされ、且つ両ケース体７７，７８により前後両側から挟持されて固定されている。
【００６４】
特別図柄始動手段３１側の第１ソレノイド８６と開閉翼３６は、第１連動体８８、第１連動アーム８９を介して連動しており、第１ソレノイド８６が励磁したきにプランジャー８６ａが上昇して開閉翼３６が第２入賞口３０を開放し、第１ソレノイド８６が消磁したときに戻しバネによりプランジャー８６ａが下降して開閉翼３６が第２入賞口３０を閉じるようになっている。可変入賞手段３３の第２ソレノイド８７と開閉扉３７も第２連動体９０、第２連動アーム９１を介して連動しており、第２ソレノイド８７が励磁したきにプランジャー８７ａが上昇して開閉扉３７が第３入賞口３２を開放し、第２ソレノイド８７が消磁したときに戻しバネによりプランジャー８７ａが下降して開閉扉３７が第３入賞口３２を閉じるようになっている。
【００６５】
特別図柄始動手段３１側の第１連動アーム８９は、図８、図１０〜図１３に示すように、左右の開閉翼３６に対応して第２案内通路５０、第２球経路５２の左右両側に前後方向に配置され、後部側の軸部８９ａが左右の経路壁５２ｂの軸受部５２ｃにより上下揺動自在に枢支されている。左右の第１連動アーム８９は前端側に係合部８９ｂを有し、この係合部８９ｂが第１飾り部６９の通孔６９ｂを経て後方に突出する各開閉翼３６の偏心ピン３６ａに係合している。左右の第１連動アーム８９は後端側の左右方向の棒状の連結部８９ｃにより連結され、またその一方の第１連動アーム８９に、プランジャー８６ａの下端の第１連動体８８に係合する突起８９ｄが設けられている。
【００６６】
なお、軸部８９ａは各第１連動アーム８９から内側に突出しており、連結部８９ｃを弾性変形させることにより軸受部５２ｃに左右両側から挿入されている。また裏ケース体７８には、第２球経路５２の上端を塞ぐ蓋部５２ｄが前側に突出して設けられ、蓋部５２ｄの前端の左右両側に軸受部５２ｃ内の軸部８９ａを第１連動アーム８９の近傍で裏側から押える押え部５２ｅが設けられている。
【００６７】
可変入賞手段３３側の第２連動アーム９１は、図９〜図１３に示すように、開閉扉３７の左右一端側の側壁部５７ｃ，５７ｄ間に前後方向に配置され、後端の軸部９１ａにより上下揺動自在に枢支されている。第２連動アーム９１は開閉扉３７の左右一端側に形成された係合凹部３７ａ内に係合し、また中間の突起９１ｂを介して第２連動体９０に係合している。軸部９１ａは前ケース体７７から裏側に突出する軸受部７７ｃと、裏ケース体７８から前側に突出する押え部７８ｃとにより回動自在に支持されている。各連動体８８，９０は前後の両ケース体７７，７８間で前ケース体７７又は裏ケース体７８の案内レール８８ａ，９０ａに沿って上下摺動自在に案内されている。
【００６８】
このパチンコ機１では、普通図柄始動手段２１が遊技球を検出すると、普通図柄表示手段２５の普通図柄が所定時間変動する。そして、変動後の普通図柄が当たり態様で停止すると、特別図柄始動手段３１の開閉翼３６が所定条件で開閉し、その開放時に第２入賞口３０に遊技球が入賞し易くなる。
【００６９】
また特別図柄始動手段３１の第１・第２入賞口２９，３０に遊技球が入賞し、その遊技球を第１・第２検出スイッチ５５，５６が検出すると、特別図柄表示手段２６の特別図柄が変動すると共に、特別図柄の変動に同期して画像表示部３４の演出図柄３８ａ〜３８ｃが変動する。そして、変動後の特別図柄が大当たり態様で停止すると、可変入賞手段３３の開閉扉３７が所定条件で開閉し、上方から落下する多数の遊技球が開閉扉３７を経て第３入賞口３２へと入賞し易くなる。普通入賞手段２３、特別図柄始動手段３１の第１・第２入賞口２９，３０、可変入賞手段３３の第３入賞口３２等に遊技球が入賞すると、その１入賞毎に規定数の遊技球が賞球として払い出される。なお、賞球数は複合入賞手段２２，普通入賞手段２３に応じて異なっており、例えば第３入賞口３２に入賞したときの賞球数が最も多くなっている。
【００７０】
特別図柄始動手段３１の第１・第２入賞口２９，３０に入賞した遊技球は第１・第２案内通路４９，５０を経て第１・第２入口５１ａ，５２ａから裏ケース４６内の第１・第２球経路５１，５２へと入り、この第１・第２球経路５１，５２を経て裏ケース４６内を下方へと移動した後、裏ケース４６の下端の第１落下口５３から遊技盤１７の裏側に落下する。そして、第１・第２球経路５１，５２を通過中の遊技球を第１・第２検出スイッチ５５，５６が検出し、その検出信号により大当たり抽選処理、特別図柄の変動処理、賞球の払い出し処理等の所定の制御が行われる。
【００７１】
可変入賞手段３３の第３入賞口３２に入賞した遊技球は、第３球経路５７を経て第２落下口５８へと案内され、この第２落下口５８から下方へと落下した後、遊技盤１７に形成されたアウト口２７を経て遊技盤１７の裏側へと案内される。そして、第２落下口５８から落下する遊技球を第３検出スイッチ６０が検出し、その検出信号により賞球の払い出し処理等が行われる。
【００７２】
この実施形態では、遊技領域１９を前側に有する遊技盤１７を備えるパチンコ機１において、遊技盤１７の前側から取り付けられる前部材４２（表遊技部品）と、遊技盤１７の後側から取り付けられる後部材４３（裏遊技部品）と、前部材４２及び後部材４３を遊技盤１７に固定する各締結手段６８，係止手段６５（固定手段）と、前部材４２を遊技盤１７の前側から固定するために締結手段６８が挿入される、遊技盤１７の下孔１７ｃ（表孔部）と、後部材４３を遊技盤１７の後側から固定するために係止手段６５が挿入される、遊技盤１７の後孔１７ａ（裏孔部）と、を備え、後孔１７ａは、前部材４２の後側に位置しているので、後孔１７ａ及びそれに挿入される係止手段６５を前部材４２によって隠すことができ、それらが目立たなくなり、遊技盤１７の美観が損なわれず、意匠性に優れた遊技盤１７を備えた遊技機を提供することができる。
【００７３】
また、下孔１７ｃは、締結手段６８のネジ６８ａが挿入可能で且つ遊技盤１７の前後方向に貫通した貫通孔であるので、遊技盤１７に前部材４２を固定する際に、ネジ６８ａが下孔１７ｃ方向に案内されて固定し易い。また、遊技盤１７の後側から下孔１７ｃ内を見ることで当該下孔１７ｃへのネジ６８ａの挿入状態を目視確認できる。
【００７４】
また、後部材４３は、遊技盤１７の前後方向に貫通形成された装着孔４５（開口）に当該遊技盤１７の正面視で位置する前壁部７１ａ（第１遊技部品）と、この前壁部７１ａの後側に位置する第１飾り部６９（第２遊技部品）と、前壁部７１ａの前側から挿入されて前壁部７１ａと第１飾り部６９とを固定するネジ７１ｂ（固定手段）と、を備えており、前壁部７１ａは、前部材４２の後側に位置しているので、後部材４３の前壁部７１ａの前側に位置するネジ７１ｂを前部材４２によって隠すことができ、そのネジ７１ｂが目立たなくなり、遊技盤１７の美観が損なわれず、意匠性に優れた遊技盤１７を備えた遊技機を提供することができる。
【００７５】
また、この第１の実施形態の複合入賞手段２２では、次のような利点がある。この複合入賞手段２２は第２・第３入賞口３０，３２と、開閉翼３６、開閉扉３７等の開閉部材と、第１〜第３球経路５１，５２，５７と、第１・第２駆動手段５４，５９と、第１〜第３検出スイッチ５５，５６，６０とを含む裏側ユニット６４を構成する一方、この裏側ユニット６４とは別に、第１〜第３入賞口２９，３０，３２の周辺を飾る前飾り体４４を設け、この前飾り体４４を遊技盤１７に前側から装着しているので、裏側ユニット６４を汎用部品として多種類のパチンコ機用に共通に使用し、前飾り体４４を専用部品とする等、前飾り体４４と裏側ユニット６４とを適宜組み合わせて複合入賞手段２２を構成することができる。
【００７６】
従って、このような構成の複合入賞手段２２では、複合入賞手段２２の主要部を構成する裏側ユニット６４を汎用部品として、その前側を飾る前飾り体４４を交換することにより、多種類のパチンコ機に兼用できる複合入賞手段２２を製作することが可能であり、製作コストの大幅な削減を図ることができる。
【００７７】
また複合入賞手段２２を遊技盤１７に装着する場合には、例えば図１５に示すように、先ず遊技盤１７の装着孔４５に合わせて遊技盤１７の前面側の所定位置に位置決めし、その状態で締結手段６８のネジ６８ａにより前飾り体４４をその前面側から遊技盤１７に固定する。なお入賞口カバー７３は予め前飾り体４４に装着しておく。
【００７８】
次に裏側ユニット６４の前部側の口枠体６３、第３球経路５７等を遊技盤１７の装着孔４５に裏側から挿入して、その口枠体６３の第１・第２飾り部６９，７０を前飾り体４４の第１・第２前飾り部６６，６７の第１・第２開口部６６ａ，６７ａ内に嵌合させる。
【００７９】
そして、裏側ユニット６４の裏ケース体７８の裏面における３個の操作孔６５ｄに係止ピン４０をそれぞれ挿入し、この係止ピン４０のピン部４０ｂが遊技盤１７の後孔１７ａに挿入され、当該ピン部４０ｂの係止爪４０ｃが後孔１７ａの座繰り部１７ｂに係止される。この係止により遊技盤１７に対して裏側ユニット６４を固定できる。
【００８０】
このようにすれば、裏側ユニット６４を遊技盤１７に固定できるので、装着孔４５よりも大きい前飾り体４４と裏ケース４６とが遊技盤１７の前後両側にあるにも拘わらず、その複合入賞手段２２を遊技盤１７に対して容易に装着することができる。
【００８１】
また裏ケース４６を裏側から係止手段６５により遊技盤１７に係止することにより、係止手段６５が前側に露出しないだけでなく、前飾り体４４を遊技盤１７に固定した後に、口枠体６３を前飾り体４４に嵌合させた状態での裏ケース４６の固定を容易に行うことができる。
【００８２】
また第２・第３入賞口３０，３２の入賞領域を変化させる開閉翼３６、開閉扉３７等の開閉部材は裏側ユニット６４の口枠体６３側にあるため、口枠体６３の第１・第２飾り部６９，７０を前飾り体４４の第１・第２前飾り部６６，６７の第１・第２開口部６６ａ，６７ａに裏側から嵌め込んで、裏側ユニット６４を遊技盤１７に係止手段６５で係止することにより、複合入賞手段２２を容易に完成することができる。このため事前に裏側ユニット６４と前飾り体４４とを係止して複合入賞手段２２を完成させておく必要がないので、前飾り体４４を変更する場合にも容易に対処でき、また裏側ユニット６４と前飾り体４４とが別々であるにも拘わらず、遊技盤１７の組み立て時に複合入賞手段２２を容易に取り付けることができる。
【００８３】
特に裏側ユニット６４から前側に突出する口枠体６３に第２・第３入賞口３０，３２を形成すると共に、口枠体６３の第１・第２飾り部６９，７０に開閉翼３６、開閉扉３７等の開閉部材を設けておき、その口枠体６３が遊技盤１７の前面に当接する前飾り体４４の第１・第２開口部６６ａ，６７ａに裏側から嵌合するようにしているので、重要な構成部分の全てを裏側ユニット６４に組み込むことができ、開閉翼３６、開閉扉３７の作動不良等を極力少なくすることができる。また口枠体６３に遊技盤１７の前面に露出する第１・第２飾り部６９，７０があり、この第１・第２飾り部６９，７０を第１・第２前飾り部６６，６７の第１・第２開口部６６ａ，６７ａに裏側から嵌合させているので、口枠体６３の第２・第３入賞口３０，３２の周辺部分の仕上がり状態が良好になり、また口枠体６３と前飾り体４４との位置ズレ等を防止することができる。
【００８４】
遊技盤１７の前側で上向きに開放する第２入賞口３０には、この第２入賞口３０の左右両側に開閉翼３６があるが、その開閉翼３６を閉状態にしたときに前飾り体４４の第１開口部６６ａを通過可能にしているので、前飾り体４４よりも前側に開閉翼３６があるにも拘わらず、前飾り体４４と裏側ユニット６４とを容易に組み合わせることができる。
【００８５】
複合入賞手段２２は遊技盤１７の裏側にその裏面に沿って拡がる裏ケース４６を備えており、この裏ケース４６内に後部機構４７、例えば第１・第２球経路５１，５２、第１・第２検出スイッチ５５，５６、第１・第２駆動手段５４，５９等を収容しているので、従来に比較して遊技盤１７の裏側の構造を大幅に簡素化することができる。また裏ケース４６は全外周又は一部外周が遊技盤１７の裏面に沿って装着孔４５よりも外側に拡がる偏平な箱型にすることによって、その内部の第１・第２球経路５１，５２、第１・第２検出スイッチ５５，５６、第１・第２駆動手段５４，５９等の後部機構４７を上下、左右に分散して配置することができると共に、裏ケース４６の遊技盤１７の後方への突出量を小さくすることができる。
【００８６】
更に複合入賞手段２２は第１・第２入賞口２９，３０と、第１・第２球経路５１，５２、第１・第２検出スイッチ５５，５６等の後部機構４７を収容する裏ケース４６との間に、遊技盤１７の装着孔４５内に配置される第１・第２案内通路４９，５０、第３球経路５７、第３検出スイッチ６０等の中間機構４８を配置しているので、遊技盤１７の装着孔４５内の空間を有効に利用できる。裏ケース４６は前ケース体７７と裏ケース体７８とを前後に着脱自在に備え、その内部に収容された第１・第２駆動手段５４，５９を両ケース体７７，７８により挟持しているので、第１・第２駆動手段５４，５９を裏ケース４６内に簡単な構造で容易且つ確実に固定することができる。
【００８７】
複合入賞手段２２には遊技盤１７の前面側に開放して上下に配置された複数の第１〜第３入賞口２９，３０，３２があり、この第１〜第３入賞口２９，３０，３２に入賞した遊技球を遊技盤１７の裏側へと誘導するための第１〜第３球経路５１，５２，５７と、第１〜第３入賞口２９，３０，３２に入賞した遊技球を検出する第１〜第３検出スイッチ５５，５６，６０とを備えている。
【００８８】
しかし、遊技盤１７の裏側にその裏面に沿って配置された支持板を構成する前ケース体７７の裏側に、第１・第２入賞口２９，３０に対応する第１・第２球経路５１，５２及び第１・第２検出スイッチ５５，５６を配置し、この前ケース体７７の前側に第３入賞口３２に対応する第３球経路５７及び第３検出スイッチ６０を配置することにより、第１〜第３球経路５１，５２，５７を簡単な構造で容易に構成でき、第１〜第３検出スイッチ５５，５６，６０も容易に取り付けることができる。
【００８９】
特に第１〜第３球経路５１，５２，５７を前ケース体７７の前後両面に配置すると共に、その第１〜第３球経路５１，５２，５７を形成する経路壁５１ｂ，５１ｃ，５２ｂ，５７ａ，５７ｂを前ケース体７７の前後両面に一体に設けることにより、部品点数を少なくできる。また前ケース体７７の前側の下部に第３球経路５７を配置し、第１・第２入賞口２９，３０に入賞した遊技球を裏側の第１・第２球経路５１，５２へと案内する第１・第２案内通路４９，５０を前ケース体７７の前側で第３球経路５７の上側に配置しているため、前ケース体７７の前側に第１・第２案内通路４９，５０と第３球経路５７とを無理なく配置できる。
【００９０】
図１６は本発明の第２の実施形態を例示する。この実施形態の裏ケース４６は、左右両側から上側に跨がってその上部側に周壁部７７ａ，７８ａを有し、下部側は開放状となっている。このように裏ケース４６には第１落下口５３を除く略全周に周壁部７７ａ，７８ａがあることが望ましいが、全周に設ける必要はなく、上側に周壁部７７ａ，７８ａを設けて、下部側を開放状にしてもよい。
【００９１】
なお、周壁部７７ａ，７８ａを設けるに当たっては、第１・第２の実施形態の何れの場合にも、前ケース体７７、裏ケース体７８の両方に設けてもよいし、前ケース体７７と裏ケース体７８との一方に設けて、他方は板状にすることも可能である。
【００９２】
図１７及び図１８は本発明の第３の実施形態を例示する。この実施形態では、遊技盤１７の裏面に沿って配置された前板７７Ａと、この前板７７Ａの裏側に所定の間隔をおいて結合手段７９を介して結合された裏板７８Ａとを有し、その前板７７Ａの前後両面に第１の実施形態と同様に球経路５１，５２，５７、検出スイッチ５５，５６，６０、駆動手段５４，５９等が設けられる等、他の構成は第１の実施形態と略同様である。
【００９３】
この実施形態の前板７７Ａ、裏板７８Ａは、第１の実施形態の前ケース体７７、裏ケース体７８の周壁部７７ａ，７８ａを除去したものと略同様である。この実施形態では、第１・第２球経路５１，５２、第１・第２検出スイッチ５５，５６、第１・第２駆動手段５４，５９は二枚の前板７７Ａと裏板７８Ａとの間に設けられている。従って、裏板７８Ａは第１・第２球経路５１，５２の裏側を塞ぐと共に、第１・第２駆動手段５４，５９、第１・第２連動体８８，９０、第１・第２連動アーム８９，９１等の連動機構を裏側から覆うようになっている。
【００９４】
複合入賞手段２２を構成するに際しては、この実施形態に示すように裏ケース４６に代えて前板７７Ａと裏板７８Ａとを利用してもよい。なお、裏板７８Ａは前板７７Ａよりも小さくしてもよい。
【００９５】
図１９は本発明の第４の実施形態を例示する。この実施形態の複合入賞手段２２は、前飾り体４４の取り付け孔４４ａに挿入したネジ６８ａを遊技盤１７の下孔１７ｃに螺入することでこの前飾り体４４を遊技盤１７の前側にネジ止めし、裏側ユニット６４を遊技盤１７の装着孔４５に後側から挿入し、この裏側ユニット６４の口枠体６３の第１・第２飾り部６９，７０を前飾り体４４の第１・第２前飾り部６６，６７の第１・第２開口部６６ａ，６７ａ内に嵌合させた状態で、裏側ユニット６４の取り付け孔７７ｄに挿入したネジ７７ｅを遊技盤１７の後側に螺入してネジ孔１７ｆに螺合させ、裏側ユニット６４を遊技盤１７の後側にネジ止めする。
【００９６】
裏側ユニット６４は、前飾り体４４の後側に位置し、且つその全体が、遊技盤１７の正面視で前飾り体４４内に位置している。つまり、図１９に示すように、裏側ユニット６４が遊技盤１７に重なる破線で示す領域は、前飾り体４４が遊技盤１７に重なる二点鎖線で示す領域内に位置している。
【００９７】
この場合には、後部材４３は、前飾り体４４の後側で且つ遊技盤１７の後側箇所に位置するとともに、その全体が遊技盤１１の正面視で当該前飾り体４４内に位置しているので、後部材４３全体を前飾り体４４で隠すことができる。
【００９８】
図２０〜図２２は本発明の第５の実施形態を例示する。この実施形態の複合入賞手段２２は、図２１、図２２に示すように、前飾り体４４を位置決めする位置決めピン９２ｂ（位置決め部）を遊技盤１７の下孔１７ｃの近傍箇所のピン穴９２ａ（位置決め部）に挿入した状態で、前飾り体４４を遊技盤１７の前面にネジ止めし、裏側ユニット６４を位置決めする位置決めピン９３ｂ（位置決め部）を遊技盤１７のネジ孔１７ｆの近傍箇所のピン穴９３ａ（位置決め部）に挿入した状態で、裏側ユニット６４を遊技盤１７の後面にネジ止めしている。
【００９９】
具体的には、裏側ユニット６４は前ケース体７７の取り付け孔７７ｄに挿通されたネジ７７ｅ等の締結手段１０８により遊技盤１７に裏側から着脱自在に固定されている。前飾り体４４、裏側ユニット６４は遊技盤１７の前後両側に形成されたピン穴９２ａ，９３ａと、このピン穴９２ａ，９３ａに挿入される位置決めピン９２ｂ，９３ｂと、により前後に相対応して位置決めされている。
【０１００】
この実施形態では、前飾り体４４の位置決めピン９２ｂ（位置決め部）を下孔１７ｃ（表孔部）の近傍箇所のピン穴９２ａ（位置決め部）に挿入した状態で前飾り体４４を遊技盤１７の前面にネジ６８ａによりネジ止めしているので、前飾り体４４をその位置決めピン９２ｂの近傍箇所で遊技盤１７にしっかりと固定でき、前飾り体４４の位置決めピン９２ｂの箇所を遊技盤１７から離そうとする不正行為を低減できる。また、裏側ユニット６４の位置決めピン９３ｂ（位置決め部）をネジ７７ｅによるネジ孔１７ｆ（裏孔部）の近傍箇所のピン穴９３ａ（位置決め部）に挿入した状態で裏側ユニット６４を、裏側ユニット６４を遊技盤１７の後面にネジ７７ｅによりネジ止めしているので、その位置決めピン９３ｂの近傍箇所で遊技盤１７にしっかりと固定でき、裏側ユニット６４の位置決めピン９３ｂの箇所を遊技盤１７から離そうとする不正行為を低減できる。
【０１０１】
図２３〜図２５は本発明の第６の実施形態を例示する。この実施形態の特別図柄始動手段３１には、第２入賞口３０を開閉扉９５により枢軸９４廻りに開閉する開閉型入賞手段６２が設けられている。
【０１０２】
前ケース体７７は前側に突出する正面視略凸状の周壁部９６を有し、この周壁部９６の前端が口枠体６３となっている。口枠体６３には可変入賞手段３３用の第３入賞口３２、開閉扉３７及びその外周側の第２飾り部７０の他に、開閉型入賞手段６２用の第２入賞口３０と、この第２入賞口３０を枢軸９４廻りに前後方向に開閉する開閉扉９５とが設けられている。周壁部９６内には第２入賞口３０に連通する第２案内通路５０、第３入賞口３２に連通する第３案内通路（図示省略）が上下に設けられている。
【０１０３】
口枠体６３は第２入賞口３０の外周部分が前飾り体４４の裏側に当接又は近接しており、その第２入賞口３０の左右両側には前側へと突出する左右一対の突状部９７が上下方向に設けられ、その突状部９７間に開閉扉９５が配置されている。開閉扉９５は閉状態のときには上端が第２入賞口３０の上側に当接するようになっている。
【０１０４】
前飾り体４４には非開閉型入賞手段６１の第１入賞口２９と第１案内通路４９と前後に一体に形成されると共に、その下側に開閉型入賞手段６２用の第１開口部６６ａと可変入賞手段３３用の第２開口部６７ａとが仕切り部４４ｅを介して上下に独立して設けられている。第２開口部６７ａは第２入賞口３０の開閉扉９５とその左右両側の突状部９７とが入る矩形状であり、開閉扉９５が開状態のときに第２開口部６７ａから前側へと傾斜状に突出して、上方から落下する遊技球を第２入賞口３０へと案内するようになっている。
【０１０５】
前飾り体４４には遊技球を左右側から第２開口部６７ａの前側へと案内する左右一対の球案内部９９と、この左右の球案内部９９の前端を左右に連結する前カバー１００とが設けられ、これらの球案内部９９及び前カバー１００間が球落下部１０１となっている。左右の球案内部９９と前カバー１００は一体であり、球案内部９９は前飾り体４４の第１前飾り部６６に裏側から挿通されたネジ１０２等により第１前飾り部６６の前面に固定されている。開閉扉９５は開状態のときには左右の球案内部９９間に位置しており、上方から球案内部９９上に落下する遊技球を第２入賞口３０へと案内するようになっている。
【０１０６】
なお、開閉扉９５が閉状態のときには、球案内部９９上に落下した遊技球は、この球案内部９９を経て第１開口部６６ａの前側へと集められて球落下部１０１から下方へと落下する。他の構成は第１の実施形態と同様である。
【０１０７】
この実施形態のように複合入賞手段２２の開閉型入賞手段６２は、枢軸９４廻りに前後方向に開閉する開閉扉９５を備えたものでもよい。この場合には、口枠体６３の第２入賞口３０の外周部は前飾り体４４の裏側に当接又は近接する構造とし、突状部９７及び開閉扉９５が前飾り体４４の第１開口部６６ａ内に入るようにすればよい。
【０１０８】
図２６は本発明の第７の実施形態を例示する。この実施形態では、非開閉型入賞手段６１の第１入賞口２９は前飾り体４４の前側に突出状に設けられ、この第１入賞口２９に連通する第１案内通路４９は裏ケース４６の前ケース体７７側に一体に設けられている。第１入賞口２９の左右両側には、球案内部９９上に突出する制限部１０３が一体に設けられており、この制限部１０３により球案内部９９上に遊技球が落下可能な範囲を制限するようになっている。なお、第１入賞口２９は前飾り体４４に裏側からネジ等により着脱自在に固定されている。他の構成は第２〜第５の実施形態と同様である。
【０１０９】
このように非開閉型入賞手段６１の第１入賞口２９、第１案内通路４９を設けるに当たっては、第１入賞口２９を前飾り体４４側に、第１案内通路４９を裏ケース４６側に夫々設けてもよい。なお、第１入賞口２９は前飾り体４４と一体に設けてもよい。例えば、第１入賞口２９がその左右両側に制限部１０３を有する場合にも、その制限部１０３を前飾り体４４の裏側に開放する中空状に構成することによって、第１入賞口２９及び制限部１０３を前飾り体４４と一体に成型することが可能である。
【０１１０】
図２７〜図２９は本発明の第８の実施形態を例示する。この実施形態の複合入賞手段２２は、前飾り体４４と裏側ユニット６４とが遊技盤１７の前後に両側から別々に装着され、その装着状態において裏側ユニット６４の前端が前飾り体４４の裏面に近接して、両者が直接当接しないように構成されている。
【０１１１】
例えば、可変入賞手段３３側では、周壁部９６の前端側に口枠体６３が一体に設けられており、この口枠体６３の第３入賞口３２の外周部は前飾り体４４の裏面に所定の間隔をおいて近接している。開閉扉３７は下端部の枢軸７５により口枠体６３に開閉自在に枢支され、閉状態のときに第３入賞口３２の上端側の左右一対の突出部１０４に当接するようになっている。突出部１０４は枢軸７５よりも前側に突出しており、閉状態のときの開閉扉９５の重心が枢軸９４よりも前側に位置し、第２駆動手段５９の作動により、開閉扉９５が自重により前側へと開放するようになっている。開閉扉９５は前飾り体４４の第２開口部６７ａに入っており、開状態のときに第２開口部６７ａから前側に突出するようになっている。
【０１１２】
前飾り体４４には第２開口部６７ａの上縁から後方へと突出するリブ状の突出部６７ｂが第３入賞口３２の左右方向の略全長に対応して設けられ、この突出部６７ｂにより第３入賞口３２の上縁と開閉扉９５との間の隙間を塞ぐようになっている。
【０１１３】
なお、開閉型入賞手段６２は、第１の実施形態と同様に球受け部７１の左右両側に開閉翼３６を備えており、前飾り体４４の第１開口部６６ａに裏側から出退自在に挿入されている。他の構成は第５の実施形態と同様である。
【０１１４】
このように遊技盤１７に対して前飾り体４４と裏側ユニット６４とを前後に両側から別々に装着する場合、両者が前後に近接するだけで直接当接しないようにすることも可能である。この場合には、前飾り体４４と裏側ユニット６４とが直接接触して干渉することがないので、遊技盤１７、前飾り体４４、裏側ユニット６４を高精度に仕上げる必要がなく容易に製作できる利点がある。
【０１１５】
図３０、図３１は本発明の第９の実施形態を例示する。この実施形態では、画像表示手段２０の下側に特別図柄始動手段３１と複合入賞手段２２とが上下に配置されている。
【０１１６】
特別図柄始動手段３１は非開閉型入賞手段６１と開閉型入賞手段６２とを備えている。複合入賞手段２２は、可変入賞手段３３と、この可変入賞手段３３の左右両側に配置された普通入賞手段２３とを備えており、遊技盤１７に前側から装着（例えばネジ止め）された前飾り体４４と、この前飾り体４４の後側で且つ遊技盤１７の裏側に装着（例えばネジ７７ｅによりネジ止め）された裏側ユニット６４とを備える構成としている。
【０１１７】
可変入賞手段３３は第１の実施形態と同様に前飾り体４４に設けられた第２開口部６７ａ、裏側ユニット６４の前端の口枠体６３に設けられた第３入賞口３２、開閉扉３７及び第２飾り部７０等を有し、その口枠体６３の第２飾り部７０が第２開口部６７ａに裏側から嵌合している。
【０１１８】
普通入賞手段２３は普通入賞口１０５とこの普通入賞口１０５からの遊技球を案内する普通案内通路１０６とを前飾り体４４の前後両側に一体に備えている。裏ケース４６内には、普通案内通路１０６からの遊技球を遊技盤１７の裏側へと誘導する誘導通路１０７と、この誘導通路１０７を通過する遊技球を検出する普通検出スイッチ（図示省略）とが設けられており、その誘導通路１０７は前ケース体７７の前面の球入口１０７ａを介して普通案内通路１０６に接続されている。
【０１１９】
このように複合入賞手段２２に可変入賞手段３３と普通入賞手段２３とを組み込むことも可能である。その場合、前飾り体４４は遊技盤１７に対して前側から固定するが、裏側ユニット６４は遊技盤１７の裏側から前飾り体４４にネジ等で固定してもよいし、遊技盤１７の裏側に前飾り体４４とは別にネジ等で固定してもよい。なお、複数個の普通入賞手段２３がある場合、その一部の普通入賞手段２３を複合入賞手段２２に、他の普通入賞手段２３をサイド飾り等の遊技部品に夫々取り付けてもよい。
【０１２０】
図３２〜図３５は本発明の第１０の実施形態を例示する。この実施形態では、図３２に示すように、遊技盤１７の遊技領域１９に画像表示手段２０を挟んで左打ち通路１１０と右打ち通路１１１とが設けられ、画像表示手段２０の下側に非開閉型の第１入賞口２９と開閉型の第２入賞口３０とを有する特別図柄始動手段３１が配置され、また右打ち通路１１１側から特別図柄始動手段３１との間に普通図柄始動手段２１と複合入賞手段２２とが配置されている。
【０１２１】
複合入賞手段２２は、図３３、図３４に示すように、共通の前飾り体４４に前後方向の出退開閉型の可変入賞手段３３と、複数個の非開閉型の普通入賞手段２３の１個とが設けられている。前飾り体４４は、取り付け孔１１２ａに挿入されたネジ１１２ｂ等の締結手段６８（固定手段）により遊技盤１７の前面に当接して固定された取り付け板１１２と、この取り付け板１１２から前側に突出して設けられた前飾り板１１３とを一体に備え、前飾り体４４の上部には可変入賞手段３３用の球受け口１１４が、また下部の特別図柄始動手段３１側には普通入賞手段２３用の普通入賞口（非開閉型入賞口）１１５と、この普通入賞口１１５に入賞した遊技球を遊技盤１７の裏側へと案内する案内通路１１６とが前後に一体に設けられている。
【０１２２】
なお、前飾り体４４を構成する取り付け板１１２と前飾り板１１３は、別体に成型してネジ等で固定するようにしてもよい。また取り付け板１１２と前飾り板１１３との間に、発光体を有する発光基板を配置して、その発光体により前飾り板１１３を裏側から発光させるようにしてもよい。従って、前飾り体４４は全く電子部品等を備えないものでもよいし、発光体等の簡単な電子部品等を備えたものでもよい。
【０１２３】
球受け口１１４は、取り付け板１１２と前飾り板１１３との間に上向きに開口すると共に、取り付け板１１２の裏側で入賞ケース１１７の前面に形成された可変入賞口（開閉型入賞口）１１８に開口している。可変入賞手段３３は取り付け板１１２の裏側に固定された入賞ケース１１７と、球受け口１１４に対応して入賞ケース１１７の前面側に形成された可変入賞口１１８と、入賞ケース１１７内に設けられ且つ可変入賞口１１８に入賞した遊技球を遊技盤１７の裏側へと案内する案内通路１１９と、案内通路１１９の中間で入賞ケース１１７内に設けられ且つ可変入賞口１１８に入賞した遊技球を検出する検出スイッチ１２０と、球受け口１１４を介して可変入賞口１１８を開閉する開閉板１２１と、開閉板１２１を駆動するソレノイド等の駆動手段１２２と、を備えている。
【０１２４】
開閉板１２１は入賞ケース１１７の左右一対の支持案内部１２３により前後方向に出退自在に支持され、球受け口１１４を上側から閉じる閉位置Ｘと、球受け口１１４から後方に後退して開放する開位置Ｙとの間で前後方向に出退する。そして、開閉板１２１は閉位置Ｘにあるときには右打ち通路１１１からの遊技球を特別図柄始動手段３１、普通入賞手段２３側へと案内するようになっている。
【０１２５】
駆動手段１２２は連動体１２５、駆動アーム１２６を介して開閉板１２１を駆動するようになっている。駆動アーム１２６は横軸１２７により前後方向に揺動自在であり、中間の連携部１２８が連動体１２５に係合し、上端側の係合部１２９が開閉板１２１の後端の連結部１３０に係合している。案内通路１１９の後端は遊技盤１７の裏側へと開放している。入賞ケース１１７はその可変入賞口１１８が取り付け板１１２の球受け口１１４に対向し、開閉板１２１が球受け口１１４内に突出するように、前飾り体４４の取り付け板１１２の裏側で且つ遊技盤１７の後面にネジ１１７ａ等の締結手段１０８（固定手段）で着脱自在に固定されている。入賞ケース１１７の位置決めピン１４０（位置決め部）が遊技盤１７のピン穴１４１（位置決め部）に挿入された状態で、この入賞ケース１１７の取り付け孔６４ａに挿入したネジ１１７ａを遊技盤１７の後面に螺入することでこの入賞ケース１１７が遊技盤１７の後側にネジ止めされている。図３５に示すように、入賞ケース１１７とその内部機構とにより裏側ユニット６４が構成され、この裏側ユニット６４が前飾り体４４の裏側に着脱自在に装着されている。
【０１２６】
普通入賞手段２３は、図３４に示すように、前飾り体４４の取り付け板１１２の前後に設けられた普通入賞口１１５及び案内通路１１６と、この案内通路１１６の後端に接続された接続路１３２と、接続路１３２内を通過する遊技球を検出する検出スイッチ１３４とを有する。接続路１３２、検出スイッチ１３４は取り付け板１１２の裏側の取り付け部１３５にネジ１３６等で固定されたケース１３７内に設けられている。なお、接続路１３２、検出スイッチ１３４は入賞ケース１１７に設けてもよい。
【０１２７】
この実施形態では、開閉板１２１が球受け口１１４を閉じる閉状態の場合には、右打ち通路１１１から開閉板１２１上に乗った遊技球は、開閉板１２１を経て特別図柄始動手段３１又は普通入賞手段２３側へと案内され、特別図柄始動手段３１、普通入賞手段２３の何れかに入賞するか、入賞しないでアウト口２７へと移動する。
【０１２８】
特別図柄表示手段２６の変動後の特別図柄が大当たり態様となって大当たり状態が発生すると、駆動手段１２２の駆動により開閉板１２１が後退して球受け口１１４を介して可変入賞口１１８を開放する。このため右打ち通路１１１からの遊技球は、球受け口１１４を経て可変入賞口１１８へと入賞し、案内通路１１９、検出スイッチ１２０を経て遊技盤１７の裏側へと案内されて行く。
【０１２９】
このように開閉板１２１が前後方向に出退する可変入賞手段３３と普通入賞手段２３とを備えた複合入賞手段２２においても、前飾り体４４側に可変入賞手段３３用の球受け口１１４、普通入賞手段２３用の普通入賞口１１５、案内通路１１９等を設け、その前飾り体４４の裏側の可変入賞手段３３用の入賞ケース１１７等を裏側ユニット６４とすることにより、複数種類の何れかの前飾り体４４と裏側ユニット６４とを適宜組み合わせて複合入賞手段２２を構成することができる。
【０１３０】
図３６、図３７は本発明の第１１の実施形態を例示する。前述した第７の実施形態ではネジ７７ｅによって裏ケース４６を遊技盤１７の後面にネジ止めしていたが、この第１１の実施形態では、第１案内通路４９に形成した係止爪部４９ａによって裏ケース４６を遊技盤１７の後面に係止固定する点が、前述した第７の実施形態とは異なっている。
【０１３１】
具体的には、図３６、図３７に示すように、第１案内通路４９の両壁面に、係止爪部４９ａが形成されている。また、遊技盤１７は、その裏ケース４６の第１案内通路４９に対応する箇所に、第１案内通路４９が挿入可能な装着孔４９ｂが形成されている。この装着孔４９ｂは、遊技盤１７の前面側に座繰り部４９ｃが形成されている。
【０１３２】
裏ケース４６を遊技盤１７の後面に装着する際に、この裏ケース４６の第１案内通路４９を遊技盤１７の装着孔４９ｂに挿入することで、この第１案内通路４９の係止爪部４９ａが装着孔４９ｂの座繰り部４９ｃに係止され、裏ケース４６が遊技盤１７の後面に固定される。
【０１３３】
この第１１の実施形態では、裏ケース４６は、前飾り体４４の第１入賞口２９（入賞口）からの遊技球を案内する第１案内通路４９（球通路部）に係止爪部４９ａ（固定部）を備え、遊技盤１７の装着孔４９ｂ（裏孔部）は第１案内通路４９が挿入可能な形状であり、第１案内通路４９を装着孔４９ｂに挿入することで、この第１案内通路４９の係止爪部４９ａが装着孔４９ｂに固定され、裏ケース４６を遊技盤１７に固定することができる。つまり、第１案内通路４９は、遊技球を案内する機能の他に、裏ケース４６を遊技盤１７に固定する固定機能も備えており、第１案内通路４９以外の箇所（例えば、第１案内通路４９から離れた箇所である、当該裏ケース４６の端部箇所）に図２６に示すネジ７７ｅなどの固定手段を設ける必要がないし、裏ケース４６の端部箇所のネジなどを覆うために前飾り体４４を大きくすることも不要とすることができ、前飾り体４４の小型化を維持することができる。
【０１３４】
この実施形態では、第１案内通路４９の壁面に係止爪部４９ａを形成しているが、第３入賞口３２の第３球経路５７の周壁９６（例えば、側壁部５７ｃ、上経路壁５７ａなど）に係止爪部（係止爪）を形成し、この係止爪部が遊技盤１７の装着孔４５に係止されるようにしてもよい。
【０１３５】
図３８、図３９は本発明の第１２の実施形態を例示する。前述した第１１の実施形態ではネジ６８ａによって前飾り体４４を遊技盤１７の前面にネジ止めしていたが、この第１２の実施形態では、前飾り体４４の後面に突出形成した係止爪部４４ｆによって遊技盤１７の前面に係止固定する点と、前飾り体４４に取り付け孔４４ａが一切形成されていない点とが、前述した第１１の実施形態とは異なっている。
【０１３６】
具体的には、図３８、図３９に示すように、前飾り体４４の後面で左右両側箇所に、係止爪部４４ｆが形成されている。また、遊技盤１７は、その前飾り体４４の係止爪部４４ｆに対応する箇所に、係止爪部４４ｆが挿入可能に前後方向に貫通した挿入孔１７ｄが形成されている。この挿入孔１７ｄは、遊技盤１７の後面側に座繰り部１７ｅが形成されている。
【０１３７】
前飾り体４４を遊技盤１７の前面に装着する際に、この前飾り体４４の係止爪部４４ｆを遊技盤１７の挿入孔１７ｄに挿入することで、この係止爪部４４ｆが挿入孔１７ｄの座繰り部１７ｅに係止され、前飾り体４４が遊技盤１７の前面に固定される。
【０１３８】
この第１２の実施形態では、前部材４２（表遊技部品）の前飾り体４４は、その後面箇所に係止爪部４４ｆ（固定手段）が突出形成されており、遊技盤１７の挿入孔１７ｄ（表孔部）は、係止爪部４４ｆが挿入されて固定可能な形状であるので、前飾り体４４の係止爪部４４ｆを遊技盤１７の挿入孔１７ｄに挿入して固定させることができ、前飾り体４４が遊技盤１７の前側に装着できる。そして、前飾り体４４は、その後側に設けた係止爪部４４ｆが当該前飾り体４４の前側からは見えないし、締結手段６８としてのネジ６８ａ及びその下孔１７ｃ（ネジ孔、取り付け孔）を不要とすることができるので、遊技盤１７の正面視で前飾り体４４の係止爪部４４ｆを一切見せないようにすることができ、さらに遊技盤１７の意匠性を向上させることができる。
【０１３９】
この実施形態では、前飾り体４４の固定手段として、前飾り体４４の後面箇所に形成された係止爪部４４ｆ（係止手段）を例に挙げて説明しているが、嵌合手段、圧入手段などを採用してもよく、遊技盤１７の表孔部（挿入孔１７ｄ）は、係止爪部４４ｆ（係止手段）が係止可能な形状としているが、嵌合手段、圧入手段などが挿入されて嵌合、圧入可能な形状などを採用してもよい。
【０１４０】
以上、本発明の実施形態について詳述したが、本発明はこれらの実施形態に限定されるものではなく、本発明の趣旨を逸脱しない範囲で種々の変更が可能である。
【０１４１】
前述した各実施形態では、遊技盤１７の表孔部として下孔１７ｃを採用しているが、ネジ６８ａを螺入することにより遊技盤１７に形成されるネジ孔を採用してもよい。
【０１４２】
また、前述した各実施形態では、前飾り体４４を遊技盤１７の前面に取り付けた後に、裏側ユニット６４を遊技盤１７の後面に取り付けているが、その逆としてもよいし、遊技盤１７を介して両者を合わせた状態としそれらを同時に遊技盤１７に取り付けるようにしてもよい。
【０１４３】
また、前述した各実施形態では、遊技盤１７としては、透明な合成樹脂などで成形される透明樹脂製の遊技盤（透明遊技盤）を採用しているが、合板（ベニヤ板）により形成される木製の遊技盤であって表遊技部品（前部材４２など）及び裏遊技部品（裏側ユニット６４など）が配設される箇所に透明部  （例えば透明合成樹脂成形品）が配設された一部透明の遊技盤などとしてもよい。
【０１４４】
なお、前述した各実施形態では、固定手段としては、締結部材（例えばネジ６８ａ，７７ｅ，１１２ｂ，１１７ａ）などの締結手段６８，１０８、係止部材（例えば係止ピン４０、係止爪部４９ａ）などの係止手段６５を例に挙げているが、嵌合部材（例えば嵌合ピン）などの嵌合手段、圧入部材（例えば圧入ピン）などの圧入手段、結合部材（例えば結合ピン）などの結合手段、かしめ部材（かしめピンなど）のかしめ手段など各種のものが挙げられる。
【０１４５】
例えば、各実施形態では、複合入賞手段２２として特別図柄始動手段３１と可変入賞手段３３とを複合化したもの、普通入賞手段２３と可変入賞手段３３とを複合化したもの等を例示しているが、特別図柄始動手段３１又は可変入賞手段３３の単独の入賞手段でもよいし、特別図柄始動手段３１又は可変入賞手段３３と他の入賞手段とを複合化したものでもよい。
【０１４６】
裏側ユニット６４は少なくとも入賞口３０，３２，１１８と開閉翼３６，開閉扉３７，９５，開閉板１２１と駆動手段５４，５９，１２２とを含むものであればよく、これらに他の第１入口５１ａ，第２入口５２ａ，案内通路１１９を組み合わせてもよい。またソレノイド、プランジャー等の駆動手段５４，５９，１２２を除く、口枠体６３、開閉翼３６、開閉扉３７、裏ケース４６等の裏側ユニット６４側の構成部材を透明、半透明の合成樹脂材により構成してもよい。その場合、口枠体６３の第１・第２前飾り部６６，６７、開閉扉３７等の裏面側に乱反射部を設ける等して、前側から内部を透視できないようにしてもよい。
【０１４７】
裏側ユニット６４は遊技盤１７の裏側から前飾り体４４に装着してもよいし、遊技盤１７の裏側から、前飾り体４４とは別に遊技盤１７に装着してもよい。つまり、前飾り体４４は遊技盤１７に前側から、裏側ユニット６４は遊技盤１７に裏側から夫々別々に取り付けるようにしてもよい。
【０１４８】
また第３球経路５７の内部、開閉扉３７、第１・第２前飾り部６６，６７の裏側に発光手段を設けて、それらを必要に応じて発光させるようにしてもよい。第２入賞口３０の開閉部材は開閉翼３６により、第３入賞口３２の開閉部材は開閉扉３７により、可変入賞口１１８の開閉部材は開閉板１２１により夫々構成しているが、開閉部材は入賞口の形態に応じて適宜変更可能である。また開閉部材は可変入賞口１１８を開閉する開閉板１２１のように、可変入賞口１１８を直接開閉せずに球受け口１１４を介して間接的に開閉するようにしてもよい。
【０１４９】
口枠体６３、前飾り体４４の形状、構造は、これらを備えた入賞手段が複合式、単独式の何れであるかによって適宜変えればよい。例えば、複合式の場合には、口枠体６３の第１・第２飾り部６９，７０、前飾り体４４の第１・第２前飾り部６６，６７は別々に設けてもよいし、また単独式の場合には、その単独の入賞手段に見合うものであればよい。従って、前飾り体４４の形状、構造は自在に変更可能である。
【０１５０】
口枠体６３は前飾り体４４の第１・第２開口部６６ａ，６７ａに嵌合しているが、前飾り体４４の裏面に第１・第２開口部６６ａ，６７ａを取り囲む凹部を設け、その凹部に嵌合するようにしてもよい。また口枠体６３は前飾り体４４の第１・第２開口部６６ａ，６７ａに対応する位置であれば、直接前飾り体４４に嵌合しない構造にしてもよい。
【０１５１】
口枠体６３の第１飾り部６９の前側に第２入賞口３０と左右一対の開閉翼３６とを設ける場合、その開閉翼３６は組立て時の都合上、閉状態のときに第１飾り部６９の外周よりも内側に収まる大きさであることが望ましいが、第１飾り部６９が開状態の開閉翼３６の形状に対応する形状とし、その開状態の開閉翼３６が第１飾り部６９の外周よりも内側に収まるようにしても、第２入賞口３０の左右両側に一対の開閉翼３６を備えたままで第１飾り部６９を第１開口部６６ａに嵌脱することができる。
【０１５２】
実施形態の裏ケース４６は前後に偏平な背面視略矩形状の箱型としているが、その内部に収容される後部機構４７に応じて背面視形状を適宜変更可能である。第３球経路５７、第３検出スイッチ６０は裏ケース４６内に収容してもよい。また裏ケース４６は遊技盤１７の裏側にその裏面に沿って配置しているが、前ケース体７７から前側に突出する突状部９７を装着孔４５内に対応して設け、この突状部９７内に第３球経路５７、第３検出スイッチ６０等を設け、その第３球経路５７の裏側を裏ケース４６で塞ぐようにしてもよい。第１・第２案内通路４９，５０は前ケース体７７に一体に設けてもよい。
【０１５３】
裏ケース４６は、遊技盤１７の装着孔４５を裏側から覆うようにその全周が装着孔４５よりも大きくなっているが、装着孔４５と同じ大きさや装着孔４５よりも小さいものとしてもよい。また、裏ケース４６は、その外周の一部分が装着孔４５よりも外側に拡がるものでもよい。また複合入賞手段２２のように複数の入賞口２９，３０，３３があり、その入賞口２９，３０，３３と同数の球経路５１，５２，５７及び検出スイッチ５５，５６，６０があり、また複数の入賞口２９，３０，３３と同数又は入賞口２９，３０，３３よりも少ない複数の駆動手段５４，５９がある場合、裏ケース４６内にそれらの全てを収容してもよいし、駆動手段５４，５９は全て収容し、遊技球の落下口５３，５８を前後に異ならせる必要のある球経路及び検出スイッチは、その一部を裏ケース４６の外部に設けてもよい。その場合、実施形態のように第３球経路５７、第３検出スイッチ６０を裏ケース４６の前側に配置すれば、裏ケース４６の裏側を簡素化することができる。勿論、球経路、検出スイッチ、駆動手段が複数又は１の何れの場合にも、その１つを収容すれば十分である。裏ケース４６内に複数の球経路、検出スイッチ、駆動手段を設ける場合、夫々が前後に重ならないように遊技盤１７の裏面に沿って並べて配置することが望ましい。
【０１５４】
また実施形態では、第１・第２球経路５１，５２、第１・第２検出スイッチ５５，５６、第１・第２駆動手段５４，５９を裏ケース４６内に収容し、第３球経路５７、第３検出スイッチ６０を前ケース体７７の前側に設けているが、第１・第２球経路５１，５２、第１・第２検出スイッチ５５，５６、第１・第２駆動手段５４，５９は必ずしも裏ケース４６内に収容せずに、裏側に露出状に設けてもよい。その場合、例えば遊技盤１７の裏側に沿って板状等の支持体を配置し、この支持体の前面に第３球経路５７、第３検出スイッチ６０を配置し、支持体の裏面に第１・第２球経路５１，５２、第１・第２検出スイッチ５５，５６、第１・第２駆動手段５４，５９を配置してもよい。
【０１５５】
支持体の前後両側に球経路、検出スイッチ、駆動手段を設ける場合に、球経路の経路壁、検出スイッチの保持部等は支持体と一体に設けるのが望ましいが、別部材により構成し、それを支持体の前後両面に装着してもよい。
【０１５６】
実施形態では、上側の入賞口として第１・第２入賞口２９，３０を設けているが、これは１個でもよい。第１・第２案内通路４９，５０は前ケース体７７に一体に設けてもよい。また上側に第１・第２入賞口２９，３０を設ける場合、上側となる第１入口５１ａに連通する第１球経路５１は、下側の第２入口５２ａを迂回して配置し、第１・第２球経路５１，５２は異なる位置に遊技球を落下させるようにしてもよい。
【０１５７】
可変入賞手段３３を特別図柄始動手段３１の下側に配置する場合には、その第３入賞口３２は前向きに横長矩形状に開放することになるが、第２入賞口３０と同様に上向きに開放して左右一対の開閉翼３６により開閉するようにしてもよい。また第２落下口５８の遊技球はアウト口２７に落下させる他、遊技盤１７にアウト口２７とは別に案内部を設けて、その案内部を経て遊技盤１７の裏側へと遊技球を案内するようにしてもよい。前ケース体７７、前板７７Ａ等の支持体の裏側に複数の球経路と複数の駆動手段とを配置する場合、例えば左右の一方側に球経路を配置し、他方側に駆動手段を配置する等、両者を分けて集中的に配置することが望ましい。
【０１５８】
また実施形態では、遊技盤１７に装着される遊技部品として複合入賞手段２２を例示し、その前飾り体４４を遊技盤１７の前面に当接する前部材４２とし、遊技盤１７の装着孔４５を介して前部材４２と前後に対応して遊技盤１７の裏側に配置され且つ装着孔４５よりも大きい後部材４３を裏ケース４６、或いは前板７７Ａ等の支持体としているが、遊技部品は複合入賞手段２２の他、特別図柄始動手段３１、可変入賞手段３３等の単独の各種入賞手段、更には画像表示部３４を有する画像表示手段２０、回転リールを有する回転表示手段等の大型の遊技部品においても同様に実施できることは云うまでもない。
【０１５９】
また、前述の第１の実施形態では、図８に示すように、係止ピン４０を裏ケース４６の背面側から操作孔６５ｄに挿入して遊技盤１７の後孔１７ａの座繰り部１７ｂに係止させることで、裏ケース４６を遊技盤１７の後側に係止（固定）しているが、遊技盤１７の前側からその後孔１７ａに係止ピン４０を挿入して裏ケース４６の操作孔６５ｄに係止させることで、裏ケース４６を遊技盤１７の後側に係止  （固定）してもよい。この場合は、遊技盤１７の座繰り部１７ｂ内に係止ピン４０の頭部４０ａが位置し、この頭部４０ａが遊技盤１７の前面よりも窪んだ位置にあり、前飾り体４４を遊技盤１７の前面に装着する際に頭部４０ａが邪魔になることがない。
【０１６０】
また本発明は、アレンジボール機、雀球遊技機等の他の遊技機においても同様に実施することが可能である。
【０１６１】
また、上述した複数の実施形態（変形例を含む）のうちいくつかを組み合わせた構成としてもよいし、ある実施形態の一部の手段等（手段、構成、装置、部品、機能、要素、処理ステップ、工程又はこれらの結合）を他の実施形態（いくつかの実施形態を組み合わせたものを含む）に組み合わせた構成としてもよいし、ある実施形態の一部の手段等と他の実施形態における一部の手段等とを組み合わせた構成としてもよいし、ある実施形態の一部の手段等を削除した構成としてもよい。
【符号の説明】
【０１６２】
１７    遊技盤
１７ａ  後孔（裏孔部）
１７ｃ  下孔（表孔部、貫通孔）
１７ｄ  挿入孔（表孔部、貫通孔）
１７ｆ  ネジ孔（裏孔部）
１９    遊技領域
２９    第１入賞口（入賞口）
４２    前部材（表遊技部品）
４３    後部材（裏遊技部品）
４４ｆ  係止爪部（固定手段）
４５    装着孔（開口）
４９    第１案内通路（球通路部）
４９ａ  係止爪部（固定部）
４９ｂ  装着孔（裏孔部）
６５    係止手段（固定手段）
６８    締結手段（固定手段）
６９    第１飾り部（第２遊技部品）
７１ａ  前壁部（第１遊技部品）
７１ｂ  ネジ（固定手段）
９２ａ  ピン穴（位置決め部）
９２ｂ  位置決めピン（位置決め部）
９３ａ  ピン穴（位置決め部）
９３ｂ  位置決めピン（位置決め部）
１０８  締結手段（固定手段）
【図１】
2014076095.tif 000003
【図２】
2014076095.tif 000004
【図３】
2014076095.tif 000005
【図４】
2014076095.tif 000006
【図５】
2014076095.tif 000007
【図６】
2014076095.tif 000008
【図７】
2014076095.tif 000009
【図８】
2014076095.tif 000010
【図９】
2014076095.tif 000011
【図１０】
2014076095.tif 000012
【図１１】
2014076095.tif 000013
【図１２】
2014076095.tif 000014
【図１３】
2014076095.tif 000015
【図１４】
2014076095.tif 000016
【図１５】
2014076095.tif 000017
【図１６】
2014076095.tif 000018
【図１７】
2014076095.tif 000019
【図１８】
2014076095.tif 000020
【図１９】
2014076095.tif 000021
【図２０】
2014076095.tif 000022
【図２１】
2014076095.tif 000023
【図２２】
2014076095.tif 000024
【図２３】
2014076095.tif 000025
【図２４】
2014076095.tif 000026
【図２５】
2014076095.tif 000027
【図２６】
2014076095.tif 000028
【図２７】
2014076095.tif 000029
【図２８】
2014076095.tif 000030
【図２９】
2014076095.tif 000031
【図３０】
2014076095.tif 000032
【図３１】
2014076095.tif 000033
【図３２】
2014076095.tif 000034
【図３３】
2014076095.tif 000035
【図３４】
2014076095.tif 000036
【図３５】
2014076095.tif 000037
【図３６】
2014076095.tif 000038
【図３７】
2014076095.tif 000039
【図３８】
2014076095.tif 000040
【図３９】
2014076095.tif 000041